(57)【要約】【課題】装着時の不快感を人に与えずに、振動板が内蔵されたパッド部分を衛生に保ち、骨伝導における振動の伝達性能の低下を抑制する音響装置用カバーを提供する。【解決手段】イヤーパッドカバー１５は、振動板パッド２７を有する骨伝導伝達部３３の振動板パッド２７に被せられる弾性を有した有底筒部３５と、有底筒部３５の振動板パッド２７に密着する底面５１に形成される平滑面３７と、底面以外の有底筒部３５における内外面に形成された微小凹凸部からなる粗面３９とを備える。【選択図】図１４
2019129524.tif 000002
【特許請求の範囲】
【請求項１】
振動板パッドを有する骨伝導伝達部の前記振動板パッドに被せられる、弾性を有した有底筒部と、
前記有底筒部の前記振動板パッドに密着する底面に形成される平滑面と、
前記底面の反対の面に形成された微小凹凸部を有する粗面と、を備える、
音響装置用カバー。
【請求項２】
前記底面以外の面は、前記粗面である、
請求項１に記載の音響装置用カバー。
【請求項３】
前記有底筒部の底部と反対側の筒開口部には、段部を介することで外側に張り出す環状裾部が形成され、
前記環状裾部は、前記振動板パッドを包囲して固定する振動板パッド固定部の外周に被せられ、内外面が前記粗面により形成される、
請求項１又は２に記載の音響装置用カバー。
【請求項４】
前記環状裾部には、前記底面と平行な方向で外側に突出する摘み片が形成される、
請求項３に記載の音響装置用カバー。
【請求項５】
前記音響装置用カバーは、伸縮自在な樹脂材により成形される、
請求項１〜４のうちいずれか一項に記載の音響装置用カバー。
【請求項６】
前記底面が、前記振動板パッドと同じ正方形又は円形で形成される、
請求項１〜５のうちいずれか一項に記載の音響装置用カバー。
【請求項７】
前記有底筒部の深さが、前記振動板パッドの高さよりも小さい、
請求項１〜６のうちいずれか一項に記載の音響装置用カバー。
【発明の詳細な説明】
【技術分野】
【０００１】
本開示は、音響装置用カバーに関する。
【背景技術】
【０００２】
特許文献１には、人の後頭部に回るヘッドバンドと、ヘッドバンドの両端に形成される掛止部と、掛止部に係止されるノブを有する骨伝導スピーカと、装着時に骨伝導スピーカの上方に伸びて耳に掛かる耳掛部とを備える骨伝導ヘッドセットが開示されている。これにより、耳掛部及び骨伝導スピーカが耳の裏側に隠れ、ヘッドバンドが後頭部に密着するため、正面から見たとき、骨伝導ヘッドセットを装着していることを視認されにくくなる。
【先行技術文献】
【特許文献】
【０００３】
【特許文献１】特開２００３−１８６８３号公報
【発明の概要】
【発明が解決しようとする課題】
【０００４】
本開示は、上述した従来の事情に鑑みて案出され、装着時の不快感を抑制しつつ、骨伝導における振動の伝達性能の低下を抑制する音響装置用カバーを提供することを目的とする。
【課題を解決するための手段】
【０００５】
本開示は、振動板パッドを有する骨伝導伝達部の前記振動板パッドに被せられる、弾性を有した有底筒部と、前記有底筒部の前記振動板パッドに密着する底面に形成される平滑面と、前記底面の反対の面に形成された微小凹凸部を有する粗面と、を備える音響装置用カバーを提供する。
【発明の効果】
【０００６】
本開示によれば、装着時の不快感を抑制しつつ、骨伝導における振動の伝達性能の低下を抑制できる。
【図面の簡単な説明】
【０００７】
【図１】本実施の形態に係るイヤーパッドカバーを備えた骨伝導スピーカ及び骨伝導マイクの装着状態の一例を示す側面図
【図２】図１に示す骨伝導スピーカの斜視図
【図３】振動板パッド及びイヤーパッドカバーが外されて振動板モジュールが表出した骨伝導スピーカの斜視図
【図４】イヤーパッドカバーが外されて振動板パッドが表出した骨伝導スピーカの斜視図
【図５】イヤーパッドカバーが装着された骨伝導スピーカの斜視図
【図６】振動板パッドの拡大斜視図
【図７】振動板パッドに被せられたイヤーパッドカバーの拡大斜視図
【図８】イヤーパッドカバーの斜視図
【図９】図８に示すイヤーパッドカバーを有底筒部の突出側から見た平面図
【図１０】図８に示すイヤーパッドカバーを斜め背面側から見た斜視図
【図１１】図９に示すイヤーパッドカバーを環状裾部の開口側から見た下面図
【図１２】比較例に係るイヤーパッドカバーの断面図
【図１３】図８に示すイヤーパッドカバーの断面図
【図１４】振動板パッドとイヤーパッドカバーの寸法比較を表す説明図
【図１５】図１に示す骨伝導マイクの斜視図
【発明を実施するための形態】
【０００８】
（実施の形態の音響装置用カバーの構成に至る経緯）
特許文献１の骨伝導ヘッドセットは、空気振動でなく振動板の機械的振動を、直接に人の頭蓋骨に伝えることで音を伝達する。従来、骨伝導ヘッドセットにおいて、振動板が内蔵された骨伝導スピーカのパッド部分は、振動を効果的に伝えるため、パッドカバーやキャップ等のアタッチメントを用意することが無く、剥き出しで露出していた。つまり、人の肌（つまり、皮膚）に直接密着するようにパッド部分を当接して振動を伝えていた。
【０００９】
このため、パッド部分に付着した汚れや人の汗を、毎回、拭き取るのは相当に煩雑であった。拭き取りで振動板パッドを摩耗、損傷させ、振動の伝達性能を低下させる可能性もあった。また、従来の骨伝導ヘッドセットを業務において多人数で使用することが想定される。この場合、骨伝導ヘッドセットが人の肌に直接密着された状態で使用されていたことを考慮すると、多人数での使い回しの際にパッド部分を衛生的に保つことが求められる。
【００１０】
そこで、以下の実施の形態では、装着時の不快感を抑制しつつ、骨伝導における振動の伝達性能の低下を抑制する音響装置用カバーの例について説明する。
【００１１】
以下、適宜図面を参照しながら、本開示に係る音響装置用カバーを具体的に開示した実施の形態（以下、「本実施の形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。なお、添付図面及び以下の説明は、当業者が本開示を十分に理解するために提供されるものであり、これらにより特許請求の範囲に記載の主題を限定することは意図されていない。
【００１２】
図１は、本実施の形態に係るイヤーパッドカバー１５を備えた骨伝導スピーカ１１及び骨伝導マイク１３の装着状態の一例を示す側面図である。本実施の形態に係る音響装置用カバーとして、骨伝導ヘッドセット１７に用いられるイヤーパッドカバー１５を例示して説明する。骨伝導ヘッドセット１７は、骨伝導ヘッドセット本体１９と、骨伝導ヘッドセット本体１９にケーブル２１により接続される骨伝導マイク１３とを含む。イヤーパッドカバー１５は、少なくとも骨伝導ヘッドセット本体１９に装着される。なお、イヤーパッドカバー１５は、骨伝導マイク１３に装着されてもよい（図１５参照）。
【００１３】
図２は、図１に示す骨伝導スピーカ１１の斜視図である。骨伝導ヘッドセット本体１９は、バンド２３と、バンド２３の両端部にそれぞれ接続された一対の骨伝導スピーカ１１とにより構成される。バンド２３は、使用者の後頭部又は首部に巻き掛け状に装着される適度な弾性を有する材料（例えば、ポリプロピレン等の合成樹脂や、アルミニウム、ステンレス等の金属）により略Ｕ字形状に構成される。左右用に設けられた一対の骨伝導スピーカ１１のそれぞれには、バンド２３と反対側の上方に延出し、装着時に耳に掛かる湾曲した耳掛部２５がそれぞれ設けられる。
【００１４】
図３は、振動板パッド２７及びイヤーパッドカバー１５が外されて振動板モジュール２９が表出した骨伝導スピーカ１１の斜視図である。一対の骨伝導スピーカ１１は、例えば人（つまり、骨伝導スピーカ１１の使用者）の肌に対向する側が開口した四角形枠形状の振動板パッド固定部３１を有する。振動板パッド固定部３１の形状は、四角形枠に限定されず、三角形枠でもよいし、多角形枠でもよい。振動板パッド固定部３１の内側中央には、振動板モジュール２９が設けられている。振動板モジュール２９は、出力される音声信号を機械的振動に変換する電磁型の振動ドライバである。振動板モジュール２９は、例えば特許第５６２９８３１号公報に開示されている「振動ドライバ」と同一の構成を有してよい。
【００１５】
図４は、イヤーパッドカバー１５が外されて振動板パッド２７が表出した骨伝導スピーカ１１の斜視図である。振動板パッド固定部３１の中央には、振動板パッド固定部３１よりも突出して振動板モジュール２９を覆う振動板パッド２７が形成される。一対の振動板パッド固定部３１及び振動板パッド２７のそれぞれは、骨伝導伝達部３３を構成する。振動板パッド固定部３１及び振動板パッド２７は、一体で形成できる。振動板パッド固定部３１は、非振動となる。一方、振動板パッド２７は、振動し、振動板モジュール２９からの振動を骨伝導スピーカ１１の使用者に伝達する。
【００１６】
骨伝導スピーカ１１において、振動は、使用者（つまり、装着者）の頭蓋骨、耳小骨、蝸牛、聴神経、脳へと伝わる。このため、骨伝導スピーカ１１は、通話しながら周囲の音を同時に聞けるため使用上安全である。骨伝導スピーカ１１は、鼓膜を使わないため、耳を塞いでも通話が可能となる。これにより、骨伝導スピーカ１１は、耳栓が必要な騒音レベルの高い場所においても通話を可能とすることができる。
【００１７】
図５は、イヤーパッドカバー１５が装着された骨伝導スピーカ１１の斜視図である。一対の骨伝導スピーカ１１のそれぞれにおいて、骨伝導伝達部３３に、イヤーパッドカバー１５が装着される。イヤーパッドカバー１５は、同一のサイズのものを左右に用いることができる。つまり、骨伝導ヘッドセット本体１９には、左右で２つのイヤーパッドカバー１５が必要となる。
【００１８】
図６は、振動板パッド２７の拡大斜視図である。骨伝導伝達部３３では、上述したように、振動板パッド２７が、振動板パッド固定部３１よりも突出する。骨伝導スピーカ１１では、振動板パッド２７を突出させることにより、装着時に、肌の凹凸に影響されることなく振動部を肌に密着しやすくできる。
【００１９】
図７は、振動板パッド２７に被せられたイヤーパッドカバー１５の拡大斜視図である。骨伝導伝達部３３に装着されるイヤーパッドカバー１５は、ほぼ骨伝導伝達部３３の外形状に倣った形状で形成される。即ち、振動板パッド固定部３１を覆う部分（後述の環状裾部４１）から、振動板パッド２７を覆う部分（後述の有底筒部３５）が突出して形成される。イヤーパッドカバー１５は、骨伝導伝達部３３とほぼ同形状で形成されることにより、本来の骨伝導伝達部３３が有する人の肌に対する振動部の密着しやすさを損ねないようになされている。
【００２０】
図８は、イヤーパッドカバー１５の斜視図である。本実施の形態に係るイヤーパッドカバー１５は、有底筒部３５と、平滑面３７（図１３参照）と、粗面３９（図１３参照）と、環状裾部４１とを主要な構成として有する。
【００２１】
有底筒部３５は、弾性を有する。有底筒部３５は、振動板パッド２７を有する骨伝導伝達部３３の振動板パッド２７に被せられる。このため、有底筒部３５は、振動板パッド２７とほぼ同一の突出形状で形成される。
【００２２】
環状裾部４１は、有底筒部３５の底部４３と反対側の筒開口部４５（図１３参照）に、段部４７を介することで外側に張り出して形成される。この環状裾部４１は、突出する振動板パッド２７を包囲して固定する四角枠形状となった振動板パッド固定部３１の更に外周に被せられる。
【００２３】
イヤーパッドカバー１５は、例えば伸縮自在な樹脂材により成形される。伸縮自在な樹脂材としては、例えばシリコンゴム（Ｓｉ）などの柔軟性有機膜を用いることができる。イヤーパッドカバー１５は、シリコンゴムにより有底筒部３５と環状裾部４１とを一体に成形することができる。従って、イヤーパッドカバー１５の有底筒部３５及び環状裾部４１は、共に弾性を有して、伸縮自在となる。
【００２４】
図９は、図８に示すイヤーパッドカバー１５を有底筒部３５の突出側から見た平面図である。イヤーパッドカバー１５は、有底筒部３５の突出側より見た平面視において、底部表面４９が略四角形状の平坦面となる。イヤーパッドカバー１５は、この底部表面４９が、人（つまり、骨伝導スピーカ１１の使用者）の肌に密着する。底部表面４９の四辺には、底部表面４９より低い位置で環状裾部４１が包囲して位置する。この底部表面４９と環状裾部４１との間は、これらを相互に接続している段部４７となる。
【００２５】
図１０は、図８に示すイヤーパッドカバー１５を斜め背面側から見た斜視図である。イヤーパッドカバー１５は、環状裾部４１に、底面５１と平行な方向で外側に突出する摘み片５３が形成される。摘み片５３は、例えば半円形状で形成することができるが、骨伝導スピーカ１１の使用者の手指で摘める形状であれば特に半円形状に限定されない。摘み片５３は、環状裾部４１の外周方向における特定の位置に設けることができる。これにより、イヤーパッドカバー１５は、例えば振動板パッド２７及び底部表面４９が矩形状で形成されているとき、装着向きを明示することができる。
【００２６】
図１１は、図９に示すイヤーパッドカバー１５を環状裾部４１の開口側から見た下面図である。イヤーパッドカバー１５は、環状裾部４１の開口側より見た下面視において、環状裾部４１が略四角形状の開口となって開放する。開口の内側には、段部４７を介することでこの開口よりもほぼ相似形で小さく形成される有底筒部３５の開口側が連続する。この有底筒部３５の最深の窪み面が、底面５１となる。つまり、底面５１は、底部表面４９の背面となる。
【００２７】
図１２は、比較例に係るイヤーパッドカバー５５の断面図である。シリコンゴム等の柔軟性有機膜からなる一般的なイヤーパッドカバー５５は、金型により一体成形される。従って、イヤーパッドカバー１５の内外面は、金型キャビティ内壁面である成形面の表面粗さに依存する。このため、通常の成形品とした場合のイヤーパッドカバー５５は、内外面が平滑面３７となる。
【００２８】
ところが、イヤーパッドカバー５５は、全ての内外面が平滑面３７であることにより、特に外面で生じた吸着性により、肌に吸着する不快感が生じる。また、イヤーパッドカバー５５は、内外面の全てを平滑面３７とすると、着脱時に手の指や振動板パッド固定部３１に貼り付き、着脱が不便になる。一方、イヤーパッドカバー５５の内外面を粗面３９とすれば、不快感や脱着性は改善されるが、振動板パッド２７から底面５１への振動伝達効率が低下する。
【００２９】
図１３は、図８に示すイヤーパッドカバー１５の断面図である。本実施の形態に係るイヤーパッドカバー１５は、有底筒部３５の振動板パッド２７に密着する底面５１に、平滑面３７が形成される。一方、イヤーパッドカバー１５は、底面以外の有底筒部３５における内外面に、微小凹凸部からなる粗面３９が形成される。また、環状裾部４１は、内外面が粗面３９により形成される。つまり、本実施の形態に係るイヤーパッドカバー１５は、底面５１のみが平滑面３７で、底面５１以外の部分が全て粗面３９となっている。
【００３０】
例えば、イヤーパッドカバー１５の底部表面４９に設けられた粗面３９によれば、底部表面４９が人（つまり、骨伝導スピーカ１１の使用者）の肌に密着した時（言い換えると、使用者が骨伝導スピーカ１１を装着した時）に不快感をなくすことができる。
【００３１】
例えば、イヤーパッドカバー１５が振動板パッド２７に密着する底面５１以外の面（例えば、底面５１のうち平滑面３７以外の内側の面）に設けられた粗面３９によれば、振動板パッド２７とイヤーパッドカバー１５とが密着する際に有底筒部３５から空気が抜けるようになる。これにより、振動板パッド２７と底面５１との間に実質的に隙間が生じないようになる。
【００３２】
例えば、イヤーパッドカバー１５の底部表面４９以外の外側の面に設けられた粗面３９によれば、人（つまり、骨伝導スピーカ１１の使用者）の骨伝導スピーカ１１の装着に関する取り扱いが容易になる。仮に粗面３９でなく平滑面で構成されれば、骨伝導スピーカ１１を装着する際に、外側の面同士でくっついたり、他のイヤーパッドカバーにくっついたりすることが考えられ、使用上、差し障りが生じかねない。
【００３３】
例えば、底面５１の平滑面によれば、イヤーパッドカバー１５と振動板パッド２７とを容易に密着できる。
【００３４】
この粗面３９は、微小な凹凸を付けた面となる。粗面３９は、金型成形面を予め所定の表面粗さに表面仕上げすることにより形成することができる。金型成形面は、研磨やサンドブラスト等の物理的処理や、シボ加工等の化学的処理等により形成することができる。イヤーパッドカバー１５は、この金型成形面に処理した微小凹凸面を、成形品に転写して粗面３９を形成することができる。
【００３５】
より具体的に、振動板パッド２７の表面は、例えば算術平均粗さＲａ＝１０〜２０μｍとすることができる。イヤーパッドカバー１５の粗面３９は、例えば算術平均粗さＲａ＝１０〜２０μｍとすることができる。イヤーパッドカバー１５は、例えば、振動板パッド固定部３１を覆って密着する部分の厚みを０．５ｍｍとし、振動板パッド２７を覆って密着する部分（言い換えると、骨伝導スピーカ１１の使用者の肌に触れる部分）の厚みを０．２ｍｍとすることができる。つまり、図１３に示すように、イヤーパッドカバー１５は、使用者の肌に密着する部分と、振動板パッド固定部３１を覆う部分とで、それぞれ異なる厚みを有する。
【００３６】
また、底部表面４９の粗面３９を構成する凹凸と、底面５１以外の内側の面の粗面３９を構成する凹凸と、底部表面４９以外の外側の面の粗面３９を構成する凹凸とは、例えば製造の容易性を実現するために、それぞれ同一の算術平均粗さＲａを有する。但し、上述したように、それぞれの粗面３９を構成する凹凸は異なる役割を有するために、それぞれ異なる算術平均粗さＲａを有してもよい。
【００３７】
底部表面４９の粗面３９を構成する凹凸と、底面５１以外の内側の面の粗面３９を構成する凹凸と、底部表面４９以外の外側の面の粗面３９を構成する凹凸とにおいて、算術平均粗さＲａは、それぞれの面の厚さに対して、例えば１／２０〜１／１０の値が用いられる。一方、平滑面３７の算術平均粗さＲａは、上述したそれぞれの粗面３９の凹凸の算術平均粗さＲａの数十分の一程度でよい。
【００３８】
図１４は、振動板パッド２７と音響装置用カバーの寸法比較を表す説明図である。イヤーパッドカバー１５は、有底筒部３５の深さｈが、振動板パッド２７の高さＪよりも小さい（ｈ＜Ｊ）。従って、イヤーパッドカバー１５は、骨伝導伝達部３３に装着した際、最初に底面５１が振動板パッド２７に接触する。
【００３９】
次に、上述したイヤーパッドカバー１５の作用を説明する。
【００４０】
本実施の形態に係るイヤーパッドカバー１５は、振動板パッド２７を有する骨伝導伝達部３３の振動板パッド２７に被せられる弾性を有した有底筒部３５と、有底筒部３５の振動板パッド２７に密着する底面５１に形成される平滑面３７と、底面の反対の面（例えば、底面以外の有底筒部３５における内外面）に形成された微小凹凸部を有する粗面３９と、を備える。
【００４１】
これにより、イヤーパッドカバー１５では、従来、直接、人の肌に接していた振動板パッド２７が、有底筒部３５によって覆われる。振動板パッド２７は、有底筒部３５を介して人の肌に接し、機械的振動を人の頭蓋骨に伝えることで音を伝達する。有底筒部３５は、振動板パッド２７を汚れや汗から保護する。即ち、イヤーパッドカバー１５は、振動板パッド２７を衛生に保つことができる。また、イヤーパッドカバー１５は、使用時に新しいものに付け替えることによって、人の肌を衛生に保つことができる。従って、イヤーパッドカバー１５によれば、装着時の不快感を抑制しつつ、しかも、骨伝導スピーカ１１における振動の伝達性能の低下も抑制できる。
【００４２】
イヤーパッドカバー１５は、振動板パッド２７に密着する底面以外の有底筒部３５及び環状裾部４１における内外面が微小凹凸部からなる粗面３９で形成される。このため、イヤーパッドカバー１５は、人の肌に触れる有底筒部３５の底部表面４９に吸着性がなく（非吸着性のため）、底部表面４９が肌に吸着する不快感を防ぐことができる。また、イヤーパッドカバー１５は、有底筒部３５の底面以外が、粗面３９となることにより、不必要な部位で振動板パッド２７に吸着しなくなり、着脱を容易にできる。これに加え、イヤーパッドカバー１５は、振動板パッド２７に密着する底面以外が粗面３９となることにより、振動板パッド２７と底面５１との間に残留した空気を排気しやすくできる。なお、イヤーパッドカバー１５は、全ての面を、振動板パッド２７に密着する面と同様に平滑面３７にすると、着脱時に手の指や骨伝導伝達部３３に貼り付き、着脱が不便になる。
【００４３】
また、イヤーパッドカバー１５は、振動板パッド２７に密着する平滑面３７を底面５１に有することで、振動板パッド２７の振動伝達機能を低下させない。イヤーパッドカバー１５は、振動板パッド２７に密着する底面５１が、平滑面３７であるため、吸着性があり、振動板パッド２７との間に隙間が生じない（空気などが入らない）。これにより、イヤーパッドカバー１５は、振動板パッド２７と人の肌との間に介在しても、直接、振動を伝達する状態に近く、振動伝達効率を低下させない。
【００４４】
イヤーパッドカバー１５は、有底筒部３５の底部４３と反対側の筒開口部４５に、段部４７を介することで外側に張り出す環状裾部４１が形成され、環状裾部４１は、突出する振動板パッド２７を包囲して固定する振動板パッド固定部３１の外周に被せられ、内外面が粗面３９により形成される。
【００４５】
また、イヤーパッドカバー１５において、振動板パッド２７に密着する底面５１以外の面（例えば、底面５１のうち平滑面３７以外の内側の面）は、微小凹凸部からなる粗面３９で形成される。
【００４６】
これにより、微小凹凸部の粗面３９によって、振動板パッド２７とイヤーパッドカバー１５とが密着する際に、有底筒部３５から空気が抜けるようになるので、振動板パッド２７と底面５１との間に実質的に隙間が生じないようになる。
【００４７】
このイヤーパッドカバー１５では、振動板パッド２７が、振動板パッド固定部３１に包囲され、且つこの振動板パッド固定部３１から突出した状態で振動板パッド固定部３１に固定されている。有底筒部３５の筒開口部４５に連続して形成された環状裾部４１は、この振動板パッド固定部３１の外周に被せられる。環状裾部４１は、有底筒部３５と同一の材料により、弾性を有して一体成形される。環状裾部４１は、内周が、振動板パッド固定部３１の外周よりも若干小さく形成されることにより、弾性復元力により振動板パッド固定部３１の外周に固定される。これにより、イヤーパッドカバー１５は、環状裾部４１が振動板パッド固定部３１に固定されることで、有底筒部３５の底面５１を振動板パッド２７に確実に密着させて固定できる。この環状裾部４１は、内外面が粗面３９であるので、内外面が平滑面３７である場合に比べ、振動板パッド固定部３１への着脱を容易にできる。
【００４８】
イヤーパッドカバー１５は、環状裾部４１に、底面５１と平行な方向で外側に突出する摘み片５３が形成される。
【００４９】
このイヤーパッドカバー１５では、環状裾部４１に、底面５１と平行な方向で外側に突出する摘み片５３が設けられる。イヤーパッドカバー１５は、その摘み片５３を指で摘み容易に脱着できる。また、摘み片５３は、環状裾部４１における外周方向の特定位置に設けることにより、イヤーパッドカバー１５の取り付け方向を明示することもできる。
【００５０】
イヤーパッドカバー１５は、伸縮自在な樹脂材により成形される。
【００５１】
また、このイヤーパッドカバー１５では、有底筒部３５や環状裾部４１が自在に伸縮するので、振動板パッド２７の形状に合わせて密着させることができる。
【００５２】
イヤーパッドカバー１５は、底面５１が、振動板パッド２７と同じ正方形又は円形で形成される。
【００５３】
このイヤーパッドカバー１５では、底面５１の中央を中心とした放射方向によって振動にムラが生じなくなり、人の肌に均等に振動を伝えることができる。
【００５４】
イヤーパッドカバー１５は、有底筒部３５の深さｈが、振動板パッド２７の高さｊよりも小さい。
【００５５】
このイヤーパッドカバー１５では、有底筒部３５を振動板パッド２７に装着した際、段部４７が振動板パッド固定部３１に当たる前に、有底筒部３５の底面５１が振動板パッド２７に当たる。これにより、有底筒部３５の底面５１を、確実に振動板パッド２７に密着させることができる。
【００５６】
図１５は、図１に示す骨伝導マイク１３の斜視図である。上述した本実施の形態では、音響装置用カバーの一例としてのイヤーパッドカバー１５が骨伝導スピーカ１１に使用された例を説明したが、この他、音響装置用カバーは、骨伝導マイク１３の振動板パッド（図示略）に装着するマイクパッドカバー５７であってもよい。この場合においても、マイクパッドカバー５７は、イヤーパッドカバー１５と同様の効果を奏する。
【００５７】
以上、添付図面を参照しながら各種の実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した各種の実施の形態における各構成要素を任意に組み合わせてもよい。
【００５８】
例えば、上述した実施の形態に係るイヤーパッドカバー１５は凸形状である例を説明したが、凸形状に限定されなくてよく、イヤーパッドカバー１５が密着する骨伝導スピーカ１１の振動板パッド２７の形状に合わせて密着可能な形状であればよい。
【００５９】
また、イヤーパッドカバー１５は、使用者の肌に密着する部分と、振動板パッド固定部３１を覆う部分とで、異なる厚みにしているが同じ厚みにしてもよい。
【産業上の利用可能性】
【００６０】
本開示は、装着時の不快感を人に与えずに、振動板が内蔵されたパッド部分を衛生に保ち、骨伝導における振動の伝達性能の低下を抑制する音響装置用カバーとして有用である。
【符号の説明】
【００６１】
１１  骨伝導スピーカ
１３  骨伝導マイク
１５  イヤーパッドカバー
２７  振動板パッド
３１  振動板パッド固定部
３３  骨伝導伝達部
３５  有底筒部
３７  平滑面
３９  粗面
４１  環状裾部
４３  底部
４５  筒開口部
４７  段部
５１  底面
５３  摘み片
【図１】
2019129524.tif 000003
【図２】
2019129524.tif 000004
【図３】
2019129524.tif 000005
【図４】
2019129524.tif 000006
【図５】
2019129524.tif 000007
【図６】
2019129524.tif 000008
【図７】
2019129524.tif 000009
【図８】
2019129524.tif 000010
【図９】
2019129524.tif 000011
【図１０】
2019129524.tif 000012
【図１１】
2019129524.tif 000013
【図１２】
2019129524.tif 000014
【図１３】
2019129524.tif 000015
【図１４】
2019129524.tif 000016
【図１５】
2019129524.tif 000017